(57)【要約】【課題】特に化粧料の噴霧に適した噴霧器を提供することを課題とする。【解決手段】圧縮気体により化粧料等の塗布組成物を噴霧する噴霧器１である。この噴霧器１は、塗布組成物の噴出口であるノズル８を有する噴霧器本体３と、噴霧器本体３に圧縮気体を供給する気体供給手段３０と、を備える。噴霧器本体３には、塗布組成物を供給する組成物供タンク２と、塗布組成物をノズル８から噴出させる操作部６と、使用者の指先を挿入する挿入部７とが設けられている。【選択図】図２
2015177922.tif 000002
【特許請求の範囲】
【請求項１】
圧縮気体により塗布組成物を噴霧する噴霧器であって、
前記塗布組成物の噴出口を有する噴霧器本体と、
前記噴霧器本体に圧縮気体を供給する気体供給手段と、を備え、
前記噴霧器本体には、前記塗布組成物を供給する組成物供給タンクと、前記塗布組成物を前記噴出口から噴出させる操作部と、使用者の指先を挿入する挿入部とが設けられていることを特徴とする、噴霧器。
【請求項２】
前記噴霧器本体の上部に前記挿入部が設けられ、前記噴霧器本体の側部に前記操作部が設けられていることを特徴とする、請求項１に記載の噴霧器。
【請求項３】
前記挿入部は、指先の挿入方向が前記噴出口の噴出方向とほぼ同一となるように配置されていることを特徴とする、請求項１又は２に記載の噴霧器。
【請求項４】
前記挿入部は、人差し指の指先を挿入可能な形状である、請求項１〜３のいずれかに記載の噴霧器。
【請求項５】
前記操作部は、親指による押圧操作によって前記圧縮気体を供給する調整レバーを有し、その調整レバーには、使用者の親指の腹の部分を当てる凹面が設けられていることを特徴とする、請求項１〜４の何れかに記載の噴霧器。
【請求項６】
前記噴霧器本体は、前記組成物供給タンクが着脱可能に装着される装着口と、前記気体供給手段が接続されるカプラーとを備え、前記装着口が噴霧器本体の上部に設けられ、前記カプラーが噴霧器本体の後部に設けられていることを特徴とする、請求項１〜５の何れかに記載の噴霧器。
【請求項７】
前記気体供給手段は、圧縮気体を収容する気体用タンクと、該気体用タンクから前記噴霧器本体に圧縮気体を供給する気体用ホースとを備えることを特徴とする、請求項１〜６のいずれかに記載の噴霧器。
【請求項８】
前記気体用タンクは、手首に装着可能な形状である、請求項７に記載の噴霧器。
【発明の詳細な説明】
【技術分野】
【０００１】
本発明は、取り扱いを容易にした噴霧器に関する。
【背景技術】
【０００２】
従来のメイクアップ化粧料の肌への典型的な塗布具として、手指、スポンジ、パフ、ブラシ等がある。
一方、近年では、メイクアップ化粧料を噴霧することも提案されている。
例えば、特許文献１には、化粧料噴霧器を用いた化粧方法が記載されている。
この化粧料噴霧器は、噴霧器本体であるエアブラシと、このエアブラシと気体用ホースコネクター間に介挿される中空状の気体用ホースと、エアブラシにエアを供給するコンプレッサーと、を備えている。エアブラシは、化粧料を噴出させるノズルと、化粧料を供給する化粧料入れカップと、化粧料の噴出量を調整する調整レバーと、エア搬送用の気体用ホースを差し込む気体用ホースコネクターとを備えている。
【先行技術文献】
【特許文献】
【０００３】
【特許文献１】特開２０１３−４２９３０号公報
【発明の概要】
【発明が解決しようとする課題】
【０００４】
特許文献１に記載される従来の化粧料噴霧器は、手で把持し、指で調整レバーを引くことにより化粧料を噴霧するタイプの、いわゆるガンタイプであり、化粧という繊細な行為を行う器具としては操作性に欠けるものであった。また、顔に向けるという性質からもガンタイプの器具は好ましいものとは言えなかった。
【０００５】
特に、前述した従来の技術では、化粧料の噴霧に際して、噴霧器本体を指先で保持するとともに、保持した指で調整レバーを操作しなければならないことから、噴霧器本体が、保持する手中で安定せず、操作が煩雑で、塗布方向がふらついてしまうという改善点が残されている。
【０００６】
本発明は、上述した問題を解決しようとするものであり、取り扱いが容易で、特に化粧料の噴霧に適した噴霧器を提供することを課題とする。
【課題を解決するための手段】
【０００７】
上記課題を解決する本発明は、
圧縮気体により塗布組成物を噴霧する噴霧器であって、
前記塗布組成物の噴出口を有する噴霧器本体と、
前記噴霧器本体に圧縮気体を供給する気体供給手段と、を備え、
前記噴霧器本体には、前記塗布組成物を供給する組成物供給タンクと、前記塗布組成物を前記噴出口から噴出させる操作部と、使用者の指先を挿入する挿入部とが設けられていることを特徴とする。
【０００８】
本発明の噴霧器は、使用者の指先を挿入する挿入部が設けられていることにより、その挿入部に指を挿入した状態で、噴出口を有する噴霧器本体を操作することができるので操作性に優れる。特に、噴霧器本体の挿入部に指先を挿入して装着するので、噴霧器本体を直接指先に装着した形態となり、これにより、指先を動かす絶妙な感覚で操作することが可能になる。
【０００９】
本発明の好ましい形態では、噴霧器本体の上部に挿入部が設けられ、噴霧器本体の側部に操作部が設けられていることを特徴とする。
このような構成とすることにより、噴霧器本体をコンパクトにすることができる上に、より操作性に優れた構成とすることができる。
【００１０】
本発明の好ましい形態として、前記挿入部は、指先の挿入方向が前記噴出口の噴出方向とほぼ同一方向となるように配置されていることを特徴とする。
このような構成とすることにより、指先で噴霧組成物を塗布しているような繊細な感覚で、噴霧器を操作することができる。
【００１１】
本発明の好ましい形態として、前記挿入部は、人差し指の指先を挿入可能な形状であることを特徴とする。
挿入部をこのような形態にすることにより、噴霧器本体を保持しやすく、操作性を格段に向上させることができる。
【００１２】
また、このように使用者の人差し指の指先に装着されると、使用者の親指が、噴霧器本体の側部に設けられている操作部に位置させられるとともに、噴霧器本体の側部で、操作部と反対側に、使用者の中指が位置させられる。
この際、人差し指が挿入部内に挿入されることにより、噴霧器本体が使用者の手に安定した状態で装着される。さらに、使用者の中指が、噴霧器本体の側部に沿わされることにより、前述した安定性がさらに高められる。
【００１３】
そして、使用者は、親指によって操作部を押圧操作することによって塗布組成物を噴霧対象に向けて噴霧することができる。この操作部の押圧操作に際して、噴霧器本体の、操作部の反対側の側部に使用者の中指が沿わされていることから、操作部の操作力が中指によって支持されて、噴霧器本体のブレが抑制される。
【００１４】
したがって、安定した装着状態が実現できるばかりでなく、塗布組成物の噴霧操作時における噴霧器本体のブレが抑制されることにより、安定した操作性が確保され、化粧料等の塗布組成物のきめ細かな塗布を実現することができる。
【００１５】
本発明の好ましい形態として、前記操作部は、親指による押圧操作によって前記圧縮気体を供給する調整レバーを有し、その調整レバーには、使用者の親指の腹の部分を当てる凹面が設けられていることを特徴とする。
このように、調整レバーには、使用者の親指の腹の部分を当てる凹面が設けられているので、調整レバーに対する親指のフィット感を得ることができ、より安定した操作性を確保することができる。
【００１６】
本発明の好ましい形態として、前記噴霧器本体は、前記組成物供給タンクが着脱可能に装着される装着口と、前記気体供給手段が接続されるカプラーとを備え、前記装着口が噴霧器本体の上部に設けられ、前記カプラーが噴霧器本体の後部に設けられていることを特徴とする。
このように構成することで、組成物供給タンクを噴霧器本体の上部に着脱可能に装着でき、気体供給手段を噴霧器本体後部にカプラーを介して着脱可能接続することができる。
【００１７】
本発明の好ましい形態として、前記気体供給手段は、圧縮気体を収容する気体用タンクと、該気体用タンクから前記噴霧器本体に圧縮気体を供給する気体用ホースと、を備えることを特徴とする。
【００１８】
また、この場合において、好ましくは、前記気体用タンクは、手首に装着可能な形状である。
このような形態とすることにより、塗布対象に向けて噴霧器本体を繊細に動かす際に、気体用タンクを噴霧器本体の動きに追随させることができるため、スムーズな操作性を実現できる。
【発明の効果】
【００１９】
本発明の噴霧器は、例えば、化粧のような繊細な動きが必要とされる場面において、操作性に優れる。また、本発明の噴霧器は、指先から塗布組成物を噴霧する柔らかなイメージを有する。
【図面の簡単な説明】
【００２０】
【図１】本発明の実施形態１に係る噴霧器の斜視図である。
【図２】本発明の実施形態１に係る噴霧器の使用態様を示す斜視図である。
【図３】本発明の実施形態１に係る噴霧器の要部の断面図である。
【発明を実施するための形態】
【００２１】
以下、本発明の噴霧器の一実施例について、図１ないし図３を参照しながら詳細に説明する。
実施例１の噴霧器１は、化粧料を塗布するための噴霧器である。この噴霧器１は、化粧料の噴出口（ノズル）８を有する噴霧器本体３と、噴霧器本体３に圧縮気体を供給する気体供給手段３０とを備える。
【００２２】
気体供給手段３０は、圧縮気体を収容する気体用タンク３１と、気体用タンク３１内の圧縮気体を噴霧器本体２に供給する中空状の気体用ホース３２とを有している。気体用タンク３１と気体用ホース３２の接続部には、用途が限定されないフック３４が設けられている。気体用タンク３１は略Ｃ形状に湾曲形成され、図２に示すように、手首等に装着可能に構成されている。
【００２３】
気体用タンク３１の材質としては、軽金属、炭素繊維等を含む強化プラスチック、硬質ゴム若しくはそれらの合成材料など、種々の材料で制作することができる。この気体用タンク３１を手首等に装着する構成とする場合には、少し柔軟性のある材料で形成することが好ましい。気体用ホース３１の一端は結合金具３６を介して気体用タンク３１に着脱可能に連結されている。結合金具５はキーボタン３５を押圧操作することで、結合を解除することができる。
【００２４】
本実施形態の噴霧器１は、化粧料が充填される組成物供給タンク（化粧料タンクと称する）２と、この化粧料タンク２が上部に装着され、この化粧料タンク２から供給される化粧料を噴霧する噴霧器本体３と、この噴霧器本体３に装着され、前記化粧料を噴霧するための圧縮気体を供給する気体供給手段３０とを備えている。
【００２５】
そして、噴霧器本体３には、気体用ホース３２の結合金具３７が接続されるカプラー５と、化粧料の噴霧量を調整する調整レバー６ａを有する操作部６と、使用者の指先が、噴霧器本体３の後方から挿入される挿入部７とが設けられ、調整レバー６ａが、噴霧器本体３の側部に設けられているとともに、挿入部７が、噴霧器本体３の上部に設けられた構成となっている。
【００２６】
噴霧器本体３は、図２に示すように、その中心軸線に沿った貫通孔３ａを備えており、この貫通孔３ａ内には、その先端部（図中の左側）に、化粧料を霧状にするノズル８と、貫通孔３ａの長さ方向に移動させられることにより、ノズル８の開度を調整するニードル弁９と、このニードル弁９を、ノズル８を閉塞する位置に向けて付勢するリターンスプリング１０が設けられている。
【００２７】
また、貫通孔３ａの後部は、その内径が大きく形成されて、圧縮気体のアキュムレータＡとなされているとともに、このアキュムレータＡ内に、前記リターンスプリング１０が内装されている。
【００２８】
貫通孔３ａの後端部には、この貫通孔３ａの後端部を閉塞して前記アキュムレータＡを形成するカプラー５が取り付けられており、このカプラー５とニードル弁９との間に、リターンスプリング１０が圧縮状態で介装されている。
【００２９】
さらに、噴霧器本体３の中間部には、化粧料タンク２が装着される装着口３ｂが上方へ向けて開口された状態で形成されており、この装着口３ｂが、噴霧器本体３内に形成されている化粧料供給路３ｃを経て、ノズル８の内部へ連通させられている。
【００３０】
一方、ニードル弁９の略中間部には、その軸線と直交するようにカムフォロアー１１が突設されており、このカムフォロアー１１に、調整レバー６に一体に設けられて、噴霧器本体３内に摺動自在に嵌挿されたカム１２が係合させられている。
【００３１】
そして、調整レバー６ａを噴霧器本体３へ向けて押圧した際に、カム１２とカムフォロアー１１との協働により、ニードル弁９が、リターンスプリング１０の付勢力に抗して移動させられて、このニードル弁９によるノズル８の開度が調整されるようになっており、また、調整レバー６への押圧力を解除することにより、ニードル弁９がノズル８を閉止する位置に移動させられるとともに、調整レバー６が元の位置に復帰させられるようになっている。
【００３２】
気体供給手段の結合金具３７は、噴霧器本体３に、カプラー５を介して接続されるようになされており、接続された状態において、気体用タンク３１からアキュムレータＡへ圧縮気体（例えば空気）が送り込まれ、調整レバー６ａが操作されてノズル８が開放された際に、圧縮気体が貫通孔３ａを経てノズル８へ送り込まれるようになっている。
【００３３】
このノズル８においては、前述したように圧縮気体が送り込まれることにより、その内部に負圧が発生させられ、その負圧により、ノズル８に連通させられている化粧料供給路３ｃから化粧料が吸引されるとともに、この化粧料が圧縮気体の噴射力によって霧状に粉砕されつつ噴霧されるようになっている。
【００３４】
そして、前記カプラー５は、本実施形態においては、前記貫通孔３ａと同軸上に装着されており、また、前記気体用ホース３２の結合金具３７が円筒状に形成されて、前記カプラー５に同軸上に接続されるようになっている。
【００３５】
一方、挿入部７は、後方が開放された略円筒状で、後方の内径が若干大きくなるように形成されて、使用者の、例えば、人差し指の指先が円滑に挿入されるようになっている。
【００３６】
この挿入部７は、図２に示すように、ノズル８の噴出方向に向けて、人差し指Ｐの指先を挿入することが可能な形状である。図示例の挿入部７は、人差し指の第１関節あたりまでの指先を挿入可能な空所を有するように形成されている。さらに、指先の腹の部分を支える支え片７ａが設けられている。なお、挿入部７には、挿入部７内において指先への通気性を良くするための通気孔７ｂが複数設けられている。
【００３７】
また、噴霧器本体２には、ノズル８内に化粧料を供給する化粧料タンク２が着脱可能に設けられている。化粧料タンク２は、この実施形態では、化粧料を収容するタンク本体２１と、その蓋２２と、タンク本体２１の下部に設けられた装着部２３とを有している。装着部２３は化粧料の吐出口を兼ねていて、噴霧器本体２の装着口３ｂに液蜜状態に装着される。
【００３８】
本実施形態においては、化粧料タンク２の装着部２３の吐出口は、破断可能なフィルム（図示せず）で閉塞されており、装着口３ｂへの装着時に、装着口３ｂ内に設けられた突起（図示せず）によってフィルムが破断されるようになっている。
【００３９】
操作部６は、親指Ｏによる押圧操作によって、圧縮気体を供給する調整レバー６ａを有している。前記挿入部７は噴霧器本体１の上部に設けられ、操作部６は噴霧器本体３の側部に設けられている。これにより、図２に示すように、人差し指Ｐの指先と親指Ｏの指先とが近接する形態で、かつ、親指Ｏと中指Ｑが相対する位置にある状態で、親指の指先で調整レバー６ａを安定して押圧操作できるように配慮されている。
【００４０】
調整レバー６ａには、図１に示すように、親指の指先の腹の部分が密着するように配慮した凹面６ｂが設けられている。このような形態とすることにより、人差し指と親指で噴霧器本体３を安定的に保持することができ、簡単な操作で、化粧料を噴出させることができる。
【００４１】
次いで、このように形成された本実施形態に係る噴霧器１の使用方法について説明する。
【００４２】
まず、化粧料が充填された化粧料タンク２を噴霧器本体３の装着口３ｂに装着するとともに、前記カプラー５に、結合金具３７を介して気体用ホース３２を装着する。これによって、噴霧器本体３と気体用ホース３２が組み上げられる。
【００４３】
このようにして組み上げられた噴霧器１は、図２に示すように、その挿入部７に、例えば、使用者が人差し指Ｐの指先を挿入することによって、使用者に装着される。
【００４４】
この状態において、使用者がそれぞれの指を、噴霧器本体３を保持するように動かすと、自然に、使用者の親指Ｏが前記調整レバー６ａに接触させられ、また、中指Ｑが、噴霧器本体３の、前記調整レバー６ａと反対側の側部に接触させられ、さらに、気体供給手段３０の気体用タンク３１が使用者の手首に装着されることで、この噴霧器１全体が使用者の手に保持される。
【００４５】
したがって、噴霧器１は、その噴霧器本体３が、挿入部７によって人差し指Ｐまわりに嵌合され、また、両側部と上部との３点において支持され、さらには、気体用タンク３１、気体用ホース３２が、親指Ｏと人差し指Ｐと手首５５の間において、使用者の手の上に載せられるようにして支持される。この結果、噴霧器１が使用者によって安定した状態に保持される。
【００４６】
そして、化粧料の噴霧、すなわち、化粧料の塗布は、親指Ｏを動かして、調整レバー６ａを噴霧器本体３へ向けて押すことにより行なわれる。
このような親指Ｏによる調整レバー６ａの操作時に、その押下力が、噴霧器本体３の反対側に接触させられている中指Ｑによって支持されることとなり、塗布操作時における噴霧器１のブレが抑制される。
【００４７】
このように、本実施形態に係わる噴霧器１は、使用者の手に装着された状態において安定した状態に保持され、かつ、塗布時においてもそのブレが抑制される。
【００４８】
したがって、安定した塗布作業を実現して、細かく良好な化粧を施すことができる。
しかも、化粧用噴霧器１は、その全てが使用者の手のまわりに集約されて、使用者の手の動きを阻害するものがなく、その動きが円滑なものとなり、この点からも、良好な化粧を施すことが可能である。
【００４９】
本実施形態によれば、噴霧器１は、使用者の指先を挿入する挿入部７が設けられていることにより、その挿入部７に指先を挿入した状態で、ノズル８を有する噴霧器本体３を操作することができるので、極めて操作性に優れる。特に、噴霧器本体３の挿入部７に指先を挿入して装着するので、噴霧器本体３を直接指先に装着した形態となり、これにより、顔や身体への噴霧による化粧を、指先を動かす絶妙な感覚で行うことが可能になる。
【００５０】
また、前記挿入部７は、指先の挿入方向がノズル８の噴出方向とほぼ同一となるように配置された構成とすることにより、指先で化粧料を塗布しているような繊細な感覚で、噴霧器１を操作することができる。
【００５１】
また、前記挿入部７は、人差し指の指先を挿入可能な形状としたことにより、噴霧器本体３を指で保持しやすく、これにより、微細な操作性を格段に向上させることができる。
【００５２】
気体供給手段３０は、圧縮気体を収容する気体用タンク３１と、該気体用タンク３１から噴霧器本体２に圧縮気体を供給する気体用ホース３２と、を備え、気体用タンク３１自体は、手首５５付近に装着可能な形状である。このような形態とすることにより、塗布対象に向けて噴霧器本体２を繊細に動かす際に、気体用タンク３１を噴霧器本体３の動きに追随させることができるため、スムーズな操作性を実現できる。
【００５３】
なお、上記実施形態では、気体用タンク３１を手首に仮装着可能な例を示したが、本発明はこれに限定されることなく、例えば、気体用ホース３２を長くして、設置型の気体用タンクに接続する構成や、エアコンプレッサに直接接続する構成としても良い。
【００５４】
また、以上の実施形態では、化粧用噴霧器について説明したが、本発明はこれに限定されることなく、化粧用以外の噴霧器にも適用することができる。例えば絵画に用いる絵具、塗料など、種々の塗布組成物の噴霧器にも適用することができる。
【産業上の利用可能性】
【００５５】
本発明は、化粧料の噴霧のほか、様々な塗布組成物の噴霧に応用できる。
【符号の説明】
【００５６】
１  噴霧器
２  化粧料タンク（組成物供給タンク）
３  噴霧器本体
３ａ  貫通孔
３ｂ  装着口
３ｃ  化粧料供給路
３０  気体供給手段
３１  気体用タンク
３２  気体用ホース
５  カプラー
６  操作部
６ａ  調整レバー
６ｂ  凹面
７  挿入部
８  ノズル
９  ニードル弁
１０  リターンスプリング
１１  カムフォロアー
１２  カム
Ａ  アキュムレーター
Ｏ  親指
Ｐ  人差し指
Ｑ  中指
Ｒ  薬指
Ｓ  小指
【図１】
2015177922.tif 000003
【図２】
2015177922.tif 000004
【図３】
2015177922.tif 000005